(57)【要約】【課題】複数の展示シートをコンパクトに興味を惹くように適切に展示できる展示説明用スタンドを提供する。【解決手段】基台２に立設された支持パイプ３と、支持パイプ３内の上部の内周面３ａに、周方向に隣り合うように内周面３ａの全周に亘って取り付けられて固定された複数のガイドパイプ４と、ガイドパイプ４の少なくとも一つに上方から挿抜自在且つ回動自在に差し込まれた着脱可能な縦棒５ａ及び縦棒５ａの頂部から水平方向に延出された横棒５ｂを有するＬ字状ロッド５と、Ｌ字状ロッド５の横棒５ｂに設けられた装着部７とを備えている。各Ｌ字状ロッド５の装着部７に装着された展示シート６同士を対比でき、Ｌ字状ロッド５を回動させることで展示シート６の裏面を見ることができる。Ｌ字状ロッド５の縦棒５ａがガイドパイプ４に差し込まれているためガタが生じない。【選択図】図１
2013244309.tif 000002
【特許請求の範囲】
【請求項１】
基台に立設された支持パイプと、
該支持パイプ内の上部の内周面に、その周方向に隣り合うようにして前記内周面の全周に亘り、前記支持パイプの長手方向に沿って取り付けられて固定された複数のガイドパイプと、
該ガイドパイプの少なくとも一つに、上方から挿抜自在且つ回動自在に差し込まれた着脱可能な縦棒及び該縦棒の頂部から水平方向に延出された横棒を有するＬ字状ロッドと、
該Ｌ字状ロッドの横棒に設けられ展示シートを装着するための装着部とを備えたことを特徴とする展示説明用スタンド。
【請求項２】
前記支持パイプ内の上部に、前記複数のガイドパイプに囲まれて形成されたセンタースペースと、
該センタースペースに収容され、前記支持パイプの上方から挿抜される直線状ロッドと、
該直線状ロッドの頂部に取り付けられ、前記支持パイプの開口を覆うと共に前記Ｌ字状ロッドの横棒の根元に載置される蓋とを備えた請求項１に記載の展示説明用スタンド。
【請求項３】
前記ガイドパイプの上縁が、前記支持パイプの上縁よりも下方に位置され、
前記ガイドパイプの上縁と前記支持パイプの上縁との間の前記支持パイプ内に、前記Ｌ字状ロッドの縦棒と横棒とを繋ぐエルボーを収容するエルボー収容スペースが形成され、
前記Ｌ字状ロッドの横棒の根元が、前記支持パイプの上縁に載置された請求項１又は２に記載の展示説明用スタンド。
【請求項４】
前記支持パイプの側面に、前記ガイドパイプと同様のガイドパイプが前記支持パイプの長手方向に沿って取り付けられ、
該ガイドパイプに、前記Ｌ字状ロッドと同様のＬ字状ロッドの縦棒が挿抜自在且つ回動自在に差し込まれ、
該Ｌ字状ロッドの横棒に、前記装着部と同様の装着部が設けられた請求項１から３の何れか１項に記載の展示説明用スタンド。
【発明の詳細な説明】
【技術分野】
【０００１】
本発明は、複数の展示シートをコンパクトに興味を惹くように展示する展示説明用スタンドに関する。
【背景技術】
【０００２】
従来、商品展示会、店舗、デパート等において、商品の内容や価格等の情報が記載されたシートを吊り下げて展示するためのスタンドとして、床に載置される基台に支持パイプを立設し、支持パイプの頂部にＬ字状ロッドの縦棒を差し込み、Ｌ字状ロッドの横棒に取り付けたクリップに展示シート（ポスター等）を挟むようにした宣伝広告用スタンドが知られている（特許文献１参照）。
【０００３】
文献１の宣伝広告用スタンドは、支持パイプの頂部に差し込まれるＬ字状ロッドの縦棒に磁石を取り付け、その磁石を支持パイプ（鉄製等）の内周面に吸着させることでＬ字状ロッドの縦棒の支持パイプ内への差し込み深さを調節可能とし、Ｌ字状ロッドの横棒のクリップに挟んだポスターの床からの高さを変更できるようにしたものである。
【先行技術文献】
【特許文献】
【０００４】
【特許文献１】登録実用新案第３００６５９２号公報
【発明の概要】
【発明が解決しようとする課題】
【０００５】
従来、この種の宣伝広告用スタンドにおいては、基台に立設した支持パイプの頂部に１本のＬ字状ロッドの縦棒を差し込み、そのＬ字状ロッドの横棒に１枚のポスターを吊り下げるようにしている。このため、ポスター（展示シート）に記載する商品の内容や価格等の情報の量及び内容が限られており、展示説明用スタンドとして使用する場合、改善の余地が残されている。すなわち、宣伝広告する対象は通常絞り込まれているため、宣伝広告用スタンドとして使用するには１枚のポスターで差し支えないが、展示説明用スタンドとして使用する際には、展示シートに記載する商品や価格等の情報の量及び内容を調節できる方が好ましい。
【０００６】
例えば、自動車販売店等においては、Ａ車の装備や価格に関する情報、Ｂ車についての同様の情報、Ｃ車の情報…を比較するため、Ａ車の情報が記載された展示シート、Ｂ車の情報が記載された展示シート、Ｃ車の情報が記載された展示シート…を同時に見ることができる展示説明用スタンドがあれば便利である。また、Ａ車とＢ車の情報のみを比較したい場合、Ａ車からＤ車の各情報を対比したい場合等があるため、展示できる情報の量及び内容を適宜調節できることが望まれる。また、技術展示説明会等においては、実験データＡが記載された展示シート、実験データＢが記載された展示シート、実験データＣが記載された展示シート…を同時に比較して見ることができ、対比する実験データＡ、Ｂ、Ｃ…の情報の量及び内容を適宜調節できる展示説明用スタンドがあれば便利である。
【０００７】
また、従来の宣伝広告用スタンドにおいては、支持パイプの頂部に差し込まれたＬ字状ロッドの縦棒が磁石やネジ等によって支持パイプに装着されているため、Ｌ字状ロッドを支持パイプ回りに回動させることができない。このため、展示シートの裏表両面に情報を記載して展示説明用スタンドして利用した場合、展示シートの裏面の情報に対するアクセスが良いとはいえない。すなわち、展示シートの裏面に記載された内容を見るためには、閲覧者が反対側に回り込むように移動する必要があり、改善の余地が残されている。
【０００８】
ところで、支持パイプの頂部に支持パイプの内径よりも小径に成形された複数のＬ字状ロッドの縦棒を回動自在に上方から差し込み、各Ｌ字状ロッドの横棒に展示シートを吊り下げるようにすることも考えられる。こうすれば、複数の展示シートに記載された情報を同時に比較して見ることができ、また、Ｌ字状ロッドを縦棒を中心として回動させることで、展示シートの裏面に記載された情報を閲覧者が反対側に移動することなく見ることができる。
【０００９】
しかし、支持パイプの頂部に複数のＬ字状ロッドの縦棒を差し込むためには、縦棒の直径を支持パイプの内径よりも大幅に（少なくとも１／２以下に）小さくしなければならない。このため、そのような細い縦棒を支持パイプの頂部に差し込むと、縦棒と支持パイプとの間に大きな隙間が形成され、Ｌ字状ロッドにガタが発生してしまい、好ましくない。
【００１０】
以上の事情を考慮して創案された本発明の目的は、複数の展示シートをコンパクトに興味を惹くように適切に展示でき、展示できる情報の量及び内容を容易に調節できる展示説明用スタンドを提供することにある
【課題を解決するための手段】
【００１１】
上述の目的を達成すべく創案された本発明に係る展示説明用スタンドは、基台に立設された支持パイプと、支持パイプ内の上部の内周面に、その周方向に隣り合うようにして内周面の全周に亘り、支持パイプの長手方向に沿って取り付けられて固定された複数のガイドパイプと、ガイドパイプの少なくとも一つに、上方から挿抜自在且つ回動自在に差し込まれた着脱可能な縦棒及び縦棒の頂部から水平方向に延出された横棒を有するＬ字状ロッドと、Ｌ字状ロッドの横棒に設けられ展示シートを装着するための装着部とを備えたことを特徴とする展示説明用スタンドである。
【００１２】
本発明の展示説明用スタンドは、支持パイプ内の上部に、複数のガイドパイプに囲まれて形成されたセンタースペースと、センタースペースに収容され、支持パイプの上方から挿抜される直線状ロッドと、直線状ロッドの頂部に取り付けられ、支持パイプの開口を覆うと共にＬ字状ロッドの横棒の根元に載置される蓋とを備えていてもよい。
【００１３】
本発明の展示説明用スタンドは、ガイドパイプの上縁が、支持パイプの上縁よりも下方に位置され、ガイドパイプの上縁と支持パイプの上縁との間の支持パイプ内に、Ｌ字状ロッドの縦棒と横棒とを繋ぐエルボーを収容するエルボー収容スペースが形成され、Ｌ字状ロッドの横棒の根元が、支持パイプの上縁に載置されていてもよい。
【００１４】
本発明の展示説明用スタンドは、支持パイプの側面に、上述のガイドパイプと同様のガイドパイプが支持パイプの長手方向に沿って取り付けられ、ガイドパイプに、上述のＬ字状ロッドと同様のＬ字状ロッドの縦棒が挿抜自在且つ回動自在に差し込まれ、Ｌ字状ロッドの横棒に、前記装着部と同様の装着部が設けられていてもよい。
【発明の効果】
【００１５】
本発明に係る展示説明用スタンドにおいては、支持パイプの内周面に周方向に隣り合うようにして全周に亘って複数のガイドパイプが固定されており、これらガイドパイプの少なくとも一つに、Ｌ字状ロッドの縦棒が上方から挿抜自在且つ回動自在に差し込まれて着脱可能となっている。
【００１６】
よって、少なくとも二つ以上のガイドパイプにＬ字状ロッドの縦棒を差し込み、各Ｌ字状ロッドの横棒の装着部に展示シートを装着することで、装着した展示シート同士を同時に比較して見ることができ、ガイドパイプに差し込むＬ字状ロッドの数を変更することで、展示できる情報の量及び内容を使用者のニーズに合わせて容易に調節でき、Ｌ字状ロッドを回動させることで、展示シートの裏面に記載された情報を閲覧者が反対側に回り込むことなく見ることができる。また、Ｌ字状ロッドの縦棒が支持パイプの内周面に全周に亘って隣接して取り付けられたガイドパイプに差し込まれているため、複数のＬ字状ロッドの縦棒を直接支持パイプに差し込んだ場合のようにＬ字状ロッドに大きなガタが生じることはなく、操作性がよい。
【００１７】
従って、本発明に係る展示説明用スタンドによれば、複数の展示シートをコンパクトに興味を惹くように適切に展示でき、展示できる情報の量及び内容を容易に調節できる。
【図面の簡単な説明】
【００１８】
【図１】本発明の一実施形態に係る展示説明用スタンドの正面図である。
【図２】上記展示説明用スタンドの上部を拡大した分解斜視図である。
【図３】（ａ）は上記展示説明用スタンドから蓋を取り除いた平面図、（ｂ）は同じく側断面図である。
【図４】上記展示説明用スタンドの側断面図である。
【図５】（ａ）は上記展示説明用スタンドのＬ字状ロッドの説明図、（ｂ）は図５（ａ）のｂ−ｂ線断面図、（ｃ）は図５（ａ）のｃ−ｃ線断面図である。
【発明を実施するための形態】
【００１９】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（展示説明用スタンド１の概要）
図１、図２を用いて本実施形態に係る展示説明用スタンド１の概要を説明する。図１は展示説明用スタンド１の正面図、図２は展示説明用スタンド１の上部の分解斜視図である。図１、図２に示すように、この展示説明用スタンド１は、基台２に立設された支持パイプ３と、支持パイプ３内の上部の内周面３ａに取り付けられた複数のガイドパイプ４と、ガイドパイプ４に上方から挿抜自在且つ回動自在に差し込まれたＬ字状ロッド５と、Ｌ字状ロッド５に設けられ展示シート６を装着するための装着部７とを備えている。以下、各構成要素について説明する。
【００２１】
（基台２）
図１に示すように、基台２は、床Ｙに載置される基板部２ａと、基板部２ａの上面に取り付けられたパイプ差込部２ｂとを有し、パイプ差込部２ｂに支持パイプ３の下部が上方から挿抜可能に差し込まれるようになっている。基板部２ａは、上方から見て方形又は円形の板体からなり、支持パイプ３、Ｌ字状ロッド５及び展示シート６を安定して支持するための十分な面積及び重量を有する。パイプ差込部２ｂは、支持パイプ３の外径よりも僅かに大きな内径を有するカラー（円筒体）２ｃと、カラー２ｃの下端に設けられたフランジ２ｄとから成り、フランジ２ｄが基板部２ａに取り付けられることでカラー２ｃが基板部２ａに垂直に立設されている。カラー２ｃには、支持パイプ３の下部が挿抜自在に差し込まれる。
【００２２】
（支持パイプ３）
図１、図２に示すように、支持パイプ３は、金属や樹脂等の材質から円筒状に成形されており、例えば、長さ１００ｃｍ、外径２．５ｃｍ、内径２．３ｃｍとなっている。支持パイプ３の長さは、展示シート６を閲覧者が見下ろすようにする場合にはターゲットとしている閲覧者の平均身長（例えば１７０ｃｍ）の６０％〜７０％程度の長さとし、展示シート６を閲覧者が水平視するようにする場合には閲覧者の平均身長の９０％〜１００％程度の長さとすることが好ましい。また、支持パイプ３の内径は、支持パイプ３の内周面３ａに取り付けられるガイドパイプ４の数、ガイドパイプ４に差し込まれるＬ字状ロッド５の直径に応じて適宜設定される。
【００２３】
（ガイドパイプ４）
図２、図３に示すように、支持パイプ３内の上部の内周面３ａには、支持パイプ３の長手方向に沿ったガイドパイプ４が、複数取り付けられている。ガイドパイプ４は、支持パイプ３の内周面３ａに、その周方向に隣り合うようにして内周面３ａの全周に亘って、接着材等によって取り付けられ、固定されている。ガイドパイプ４の数は、本実施形態では８本であるが、この本数に限定されるものではない。ガイドパイプ４の数及び外径は、各ガイドパイプ４が支持パイプ３の内周面３ａに相互に隣接して取り付けられるように、支持パイプ３の内径に応じて設定されている。ガイドパイプ４の材質には、金属や樹脂等が用いられる。
【００２４】
（Ｌ字状ロッド５）
図２、図３に示すように、ガイドパイプ４の少なくとも一つには、Ｌ字状ロッド５が、上方から挿抜自在且つ回動自在に差し込まれ、着脱可能に装着されている。Ｌ字状ロッド５は、ガイドパイプ４に差し込まれる直線状の縦棒５ａと、縦棒５ａの頂部から水平方向に直線状に延出された横棒５ｂと、横棒５ｂと縦棒５ａとを繋いて湾曲されたエルボー５ｃとを有する。Ｌ字状ロッド５の縦棒５ａの外径は、ガイドパイプ４の内径よりも１ｍｍ〜１．５ｍｍ程度小さく設定されており、縦棒５ａがガイドパイプ４に対して挿抜自在且つ回動自在となっている。縦棒５ａの長さは、本実施形態ではガイドパイプ４よりも僅かに（５ｍｍ程度）短い長さに設定されているが、縦棒５ａの下端がガイドパイプ４の下端に一致する長さでもよい。Ｌ字状ロッド５の材質には、金属や樹脂等が用いられる。
【００２５】
（センタースペース８）
図２、図３に示すように、支持パイプ３内の上部には、各ガイドパイプ４によって囲まれたセンタースペース８が形成されている。図４に示すように、センタースペース８には、支持パイプ３の上方から挿抜される直線状ロッド９が、ガイドパイプ４に接するように収容されている。直線状ロッド９の長さは、センタースペース８に差し込まれた際に安定する長さであり、本実施形態ではＬ字状ロッド５の縦棒５ａの長さに合わせて同じ長さに設定されているが、これに限定されるものではない。直線状ロッド９の頂部には、支持パイプ３の外径と同径の円板状の蓋１０が取り付けられている。蓋１０は、Ｌ字状ロッド５の横棒５ｂの根元５ｄに接して載置されており、支持パイプ３の開口を覆っている。直線状ロッド９及び蓋１０は、一体成形されていても別体で組み立てられていてもよい。直線状ロッド９の材質、蓋１０の材質は、金属や樹脂等が用いられる。
【００２６】
（エルボー収容スペース１１）
図４に示すように、支持パイプ３の内周面３ａに取り付けられたガイドパイプ４の上縁４ｕは、支持パイプ３の上縁３ｕよりも下方に位置されており、ガイドパイプ４の上縁４ｕと支持パイプ３の上縁３ｕとの間の支持パイプ３内に、Ｌ字状ロッド５のエルボー５ｃを収容するエルボー収容スペース１１が形成されている。エルボー収容スペース１１は、Ｌ字状ロッド５のエルボー５ｃを収容することで、Ｌ字状ロッド５の横棒５ｂの根元５ｄが支持パイプ３の上縁３ｕに接して載置されるようにするものである。Ｌ字状ロッド５の横棒５ｂの根元５ｄは、下端が支持パイプ３の上縁３ｕに接し、上端に蓋１０の下面が接して載せられた状態となる。
【００２７】
（装着部７）
図１、図５に示すように、Ｌ字状ロッド５の横棒５ｂには、展示シート６を装着するための装着部７が設けられている。図５（ａ）に示すように、装着部７は、展示シート６の幅方向外側の部分を吊り下げる外側装着部７ａと、展示シート６の幅方向内側の部分を吊り下げる内側装着部７ｂとから成る。図５（ｂ）に示すように、外側装着部７ａは、Ｌ字状ロッド５の横棒５ｂに所定の抵抗で移動可能に被嵌された弾性管７ｃと、弾性管７ｃに装着された吊り鐶７ｄとを有する。弾性管７ｃは、ゴムや樹脂等から成る。吊り鐶７ｄは、細長い金属板を屈曲して成形され、弾性管７ｃに被嵌される被嵌部７ｅと、展示シート６の上縁に取り付けられた逆Ｕ字状の吊り紐６ａを吊り下げるフック部７ｆとを有する。一方、内側装着部７ｂは、Ｌ字状ロッド５の横棒５ｂに移動可能に挿通された吊り鐶７ｄから成る。内側装着部７ｂの吊り鐶７ｄは、上述した外側装着部７ａの吊り鐶７ｄと同一の形状であり、被嵌部７ｅに横棒５ｂが挿通され、フック部７ｆに吊り紐６ａが掛けられる。なお、吊り紐６ａの代わりに展示シート６の上縁近傍にパンチ加工等によって孔を開けておき、その孔にフック部７ｆを掛けるようにしてもよい。
【００２８】
（その他）
図１に示すように、支持パイプ３の側面には、上述したガイドパイプ４と同様のガイドパイプ４が支持パイプ３の長手方向に沿って取り付けられている。ガイドパイプ４には、上述したＬ字状ロッド５と同様のＬ字状ロッド５の縦棒５ａが挿抜自在且つ回動自在に差し込まれている。Ｌ字状ロッド５の横棒５ｂには、上述した装着部７と同様の装着部７が設けられている。このＬ字状ロッド５の横棒５ｂが、上述した上段のＬ字状ロッド５に吊り下げられた展示シート６と重ならないように、ガイドパイプ４が支持パイプ３の側面に取り付けられている。なお、支持パイプ３の側面に取り付けられるガイドパイプ４の数は１本に限られず、周方向に間隔を隔てて２本以上取り付けてもよく、また、二段ではなく、三段以上の配置としてもよい。
【００２９】
（作用・効果）
図１、図２に示すように、本実施形態に係る展示説明用スタンド１においては、支持パイプ３の内周面３ａに周方向に隣り合うようにして全周に亘って複数のガイドパイプ４が固定されており、これらガイドパイプ４にＬ字状ロッド５の縦棒５ａが上方から挿抜自在且つ回動自在に差し込まれて着脱可能となっている。よって、少なくとも二つ以上のガイドパイプ４にＬ字状ロッド５の縦棒５ａを差し込み、各Ｌ字状ロッド５の横棒５ｂの装着部７に展示シート６を装着することで、装着された展示シート６同士を同時に比較して見ることができ、ガイドパイプ６に差し込むＬ字状ロッド５の数を変更することで、展示できる情報の量及び内容を使用者のニーズに合わせて容易に調節でき、加えて、Ｌ字状ロッド５を縦棒５ａを中心として回動させることで展示シート６の裏面に記載された情報を閲覧者が反対側に回り込むことなく見ることができる。
【００３０】
また、Ｌ字状ロッド５の縦棒５ａが支持パイプ３の内周面３ａに全周に亘って隣接して取り付けられたガイドパイプ４に差し込まれているため、例えば複数のＬ字状ロッド５の縦棒５ａを直接支持パイプ３に差し込んだ場合のようにＬ字状ロッド５に大きなガタが生じることはなく、Ｌ字状ロッド５を回動する際の操作性がよい。また、各Ｌ字状パイプ５をガイドパイプ４から引き抜き、分解することで、持ち運び性（可搬性）が向上する。従って、この展示説明用スタンド１によれば、複数の展示シート６をコンパクトに興味を惹くように適切に展示でき、展示する情報の量及び内容を容易に調節できる。なお、展示する情報の量によっては、ガイドパイプ４の幾つかには、Ｌ字状ロッド５を差し込まなくても構わない。また、支持パイプ３を基台２のパイプ差込部２ｂから引き抜いて基台２を分離することで、分解時の可搬性が更に向上する。なお、支持パイプ３とパイプ差込部２ｂとの重合部分に径方向に貫通孔を設け、その孔にストッパピンを挿抜自在に差し込むようにしてもよい。ストッパピンを孔に差し込んでおけば支持パイプ３を掴んで上方に持ち上げても基台２が取り残されることはないので、展示会場等にて展示説明用スタンド１を容易に移動でき便利である。また、支持パイプ３をパイプ差込部２ｂに接着する等して分解不能としてもよい。
【００３１】
図２〜図４に示すように、各ガイドパイプ４で囲まれたセンタースペース８に、Ｌ字状ロッド５の縦棒５ａと同等長さの直線状ロッド９を上方から挿抜自在に収容し、直線状ロッド９の頂部に蓋１０を取り付けている。このため、蓋１０を摘んで直線状ロッド９をセンタースペース８から上方に引き抜かない限り、Ｌ字状ロッド５の縦棒５ａをガイドパイプ４から上方に抜き取ることができず、悪戯等によるＬ字状ロッド５の盗難を抑止できる。なお、縦棒５ａを直線状ロッド９よりも長く設定してもよい。また、蓋１０によって、支持パイプ３の頂部から覗く複数の支持パイプ４が覆われるので、見た目がすっきりし、美観が向上する。
【００３２】
図４に示すように、ガイドパイプ４の上縁４ｕが、支持パイプ３の上縁３ｕよりも下方に位置され、ガイドパイプ４の上縁４ｕと支持パイプ３の上縁３ｕとの間の支持パイプ３内に、Ｌ字状ロッド５の縦棒５ａと横棒５ｂとを繋ぐエルボー５ｃを収容するエルボー収容スペース１１が形成されている。Ｌ字状ロッド５のエルボー５ｃがエルボー収容スペース１１に収容されることで、Ｌ字状ロッド５がスムーズに回動できる。また、Ｌ字状ロッド５の横棒５ｂの根元５ｄは、下端が支持パイプ３の上縁３ｕに載せられて接し、上端に蓋１０の下面が載せられて接した状態となる。これにより、横棒５ｂが、支持パイプ３の上縁３ｕと蓋１０の下面との間の隙間１２から生え出たように見えた状態で、Ｌ字状ロッド５がスムーズに回動することになり、操作性と美観とを両立できる。
【００３３】
図１に示すように、支持パイプ３の側面にガイドパイプ４を取り付け、そのガイドパイプ４にＬ字状ロッド５の縦棒５ａを挿抜自在且つ回動自在に差し込んでいるので、そのＬ字状ロッド５の横棒５ｂに吊り下げた展示シート６に記載された情報と、上段のＬ字状ロッド５の横棒５ｂに吊り下げた展示シート６に記載された情報とを比較することができる。また、上段のＬ字状ロッド５、下段のＬ字状ロッド５を適宜回動することで、下段の展示シート６と比較すべき上段の展示シート６の位置を変更できる。
【００３４】
図５に示すように、内側装着部７ｂの吊り鐶７ｄがＬ字状ロッド５の横棒５ｂに移動自在に挿通されているので、内側装着部７ｂの吊り鐶７ｄを横棒５ｂに沿って移動させることで、幅が異なり左右の吊り紐６ａの間隔が異なった展示シート６に容易に対応できる。また、幅が極端に狭い展示シート６に対しては、外側装着部７ａの弾性管７ｃを横棒５ｂに沿って移動することで適切に対応できる。
【００３５】
図５に示すように、外側装着部７ａの吊り鐶７ｄは、弾性管７ｃによってＬ字状ロッド５の横棒５ｂに装着されているので、Ｌ字状ロッド５をガイドパイプ４から引き抜いた後、Ｌ字状ロッド５から外れることはない。一方、内側装着部７ｂの吊り鐶７ｄは、内側に移動するとＬ字状ロッド５のエルボー５ｃに引っ掛かるため縦棒５ａの側から抜けることはなく、外側に移動すると外側装着部７ａに突き当たるため横棒５ｂの先端から抜けることもない。よって、Ｌ字状ロッド５をガイドパイプ４から取り外した後、吊り鐶７ｄの紛失を防止できる。
【００３６】
この展示説明用スタンド１は、上述したように、商品展示会、店舗、デパート、自動車販売店、技術展示説明会等での使用の他、葬祭での使用も考えられる。葬祭での使用する場合、例えば通夜のお清めの食事会等の会場の隅に展示説明用スタンド１を設置し、故人の生前の写真をラミネート加工（ラミネートフィルムで挟む加工：パウチ加工）したものを装着部７に装着する。参列者の目に控えめに留まり、故人の元気だった頃の写真を通じてその人生に思いを寄せ忍ぶことができる。
【００３７】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。例えば、装着部７は、展示シート６を挟むクリップでもよく、展示シート６を横棒５ｂに固定するものでもよい。
【産業上の利用可能性】
【００３８】
本発明は、複数の展示シートをコンパクトに興味を惹くように展示する展示説明用スタンドに利用できる。
【符号の説明】
【００３９】
１  展示説明用スタンド
２  基台
３  支持パイプ
３ａ  内周面
３ｕ  上縁
４  ガイドパイプ
４ｕ  上縁
５  Ｌ字状ロッド
５ａ  縦棒
５ｂ  横棒
５ｃ  エルボー
５ｄ  根元
６  展示シート
７  装着部
８  センタースペース
９  直線状ロッド
１０  蓋
１１  エルボー収容スペース
【図１】
2013244309.tif 000003
【図２】
2013244309.tif 000004
【図３】
2013244309.tif 000005
【図４】
2013244309.tif 000006
【図５】
2013244309.tif 000007